(57)【要約】本開示は、以下のステップを含む小包を配達するプロセスに関連する。小包を購入する、小包の送付先住所を提供する、そして、ドローンによって小包を送付先住所に配達する。本プロセスは、少なくとも一つの短距離シグナルを提供する、ドローンにより短距離シグナルを読み取る、そして、短距離シグナルに対して小包を送付先住所に配達するというステップを含んでいてもよい。【選択図】図１
2018525756.tif 000002
【特許請求の範囲】
【請求項１】
a) 小包を注文するステップ、
b) 配達先を提供するステップ、
c) 配達手段により前記小包を前記配達先に輸送するステップ、
d) 認証キーを提供するステップ、
e) 前記キーを照合するステップ、 
f) 前記小包の支払いを行なうステップ、
g) 前記小包を配達するステップ
を含む小包配達のプロセス。
【請求項２】
前記配達手段は飛行ドローンまたは自動運転車である請求項１に記載のプロセス。
【請求項３】
照合を行なう前記キーは短距離シグナル、または、データ・ネットワークを使用して転送される請求項１に記載のプロセス。
【請求項４】
前記照合のステップは、
a)配達手段、
b)ユーザーの携帯デバイス、または、
c)遠隔地
のいずれかで行なわれる請求項１に記載のプロセス。
【請求項５】
前記キーは、
a) 磁気カード、NFC、メモリーカード、光メディアの少なくとも一つから成る携帯データ・ストレージにデータ形式で保存される、若しくは、データ転送により送信されるか、
b) 印刷された画像、または、ファイルとしての印刷形態であり、前記キーの前記照合ステップは、印刷された、または、データ形式の画像を認識することを含む、または、
c) 任意の文字、または、ファイルまたはデータ情報などの任意のデジタル形式
のいずれかである請求項１に記載のプロセス。
【請求項６】
前記キーは配達手段に保管され、ユーザーの携帯デバイスに送信される請求項１に記載のプロセス。
【請求項７】
前記配達先は、住所、ＧＰＳ座標、または、デジタル地図上のマーカーの形式である請求項１に記載のプロセス。
【請求項８】
さらに、ユーザーの電子機器を求める着陸地点に置くことでドローンの着陸地点を設定し、キー照合が成功すると前記ドローンが前記地点に着陸するステップを含む請求項１に記載のプロセス。
【請求項９】
前記キーの照合は、ユーザーの携帯デバイス、または、配達機器からの光通信から成る請求項１に記載のプロセス。
【請求項１０】
前記キーの照合はNFC、Bluetooth、Wi-Fi、X-bee、または、光通信のいずれか一つから成る無線通珍を使用して転送され、前記キーの照合の前記ステップは、パターンの形態である少なくとも一つのストロボライトを提供することを含む請求項１に記載のプロセス。
【請求項１１】
前記キーはバーコードの形態であり、前記キーの前記照合ステップは前記バーコードまたはＱＲコードの読み取を含む請求項１に記載のプロセス。
【請求項１２】
前記キーは、タッチスクリーン、キーボード、マウス、または、トラックパッドの少なくとも一つの入力機器によって入力され、前記キーの前記照合ステップは前記入力機器からの読み取を含む請求項１に記載のプロセス。
【請求項１３】
前記キー照合のステップは前記ユーザーが前記小包を受け取る権限があるかを判断するの認証として行なわれる請求項１に記載のプロセス。
【請求項１４】
さらに、ユーザーの機器の場所を測定するステップを含む請求項１に記載のプロセス。
【請求項１５】
ユーザーの機器の場所を測定するステップは、携帯通信の三角測量、ＧＰＳロケーション、Wi-Fiロケーション、または、可視光によるロケーションによる測定のうちの少なくとも一つを含む請求項１４に記載のプロセス。
【請求項１６】
ユーザーの機器の場所を測定するステップは、携帯通信の三角測量、ＧＰＳロケーション、Wi-Fiロケーション、または、可視光によるロケーションによる測定のうちの少なくとも２つを含む請求項１５に記載のプロセス。
【請求項１７】
さらに、携帯通信の三角測量、ＧＰＳロケーション、Wi-Fiロケーション、または、可視光によるロケーションを介した測定のうちの少なくとも一つにより配達手段の位置を決定するステップを含む請求項１に記載のプロセス。
【請求項１８】
配達手段の位置を測定するステップは携帯通信の三角測量、ＧＰＳロケーション、Wi-Fiロケーション、または、可視光によるロケーションを介した測定のうちのいずれか２つの方法を含む請求項１に記載のプロセス。
【発明の詳細な説明】
【背景技術】
【０００１】
（関連出願の相互参照）
本出願は、2015年5月22日に出願された米国仮特許出願62/165,834、および、2016年５月20日の出願された米国非仮特許出願15/161,156に優先権を主張する非仮出願であり、これらの特許の開示内容は、参照することによって本願に組み込まれるものとする。
【０００２】
少なくとも一つの実施例は、ドローンによって商品を配達するシステムとプロセスに関連する。少なくとも一つの実施例は、少なくとも一つの配達のための機器、および、少なくとも一つの機器と通信を行なうための携帯電子機器に関連する。さらに、配達のための機器、および、携帯電子機器を制御する少なくとも一つのプロセスがある。
【発明の概要】
【０００３】
本願発明の少なくとも一つの実施例は、小包を配達するための、以下のステップから成るプロセスを開示する：小包を注文する、配達場所を提供する、配達手段により小包を配達場所に運搬する、認証キーを提供する、キーを照合する、小包とその配達に対する支払いを行なう。
【０００４】
少なくとも一つの実施例では、配達手段は飛行ドローン、または、自動運転車である。少なくとも一つの実施例では、照合のためのキーは短距離無線、または、データ・ネットワークを使用して転送される。少なくとも一つの実施例では、キーの照合の手続は、配達手段上で、ユーザーの携帯機器上で、あるいは、リモート・ロケーションにおいて行なわれる。
【０００５】
少なくとも一つの実施例では、キーはデータの形式で（磁気カード、NFC、メモリーカード、光メディアなどの）携帯データ・ストレージに保存されるか、データ転送により送られる。ここで、携帯データ・ストレージは、磁気カード、メモリーカード、光メディア、絵あるいはファイルとして印刷された形態のいずれかの形態である。ここで、キー照合のステップは、印刷された、あるいは、任意の文字（英数字または特殊文字）の形態、または、ファイルやデータ情報などのデータ形式の画像を読み取り、認識することを含む。
【０００６】
少なくとも一つの実施例では、キーは配達手段上に保管され、ユーザーの携帯機器に送信される。少なくとも一つの実施例では、配達地点は、住所、ＧＰＳ座標、または、デジタル地図上のマーカーの形態である。少なくとも一つの実施例は、ユーザーの電子機器を望むドローンの着陸地点、または、着陸地点の目標に置くことで、着陸地点を設定するステップを含む。そして、キー照合が成功するとドローンはマーカー上に着陸する。
【０００７】
少なくとも一つの実施例では、照合キーはユーザーの携帯機器または配布機器からの光通信である。
【０００８】
少なくとも一つの実施例では、照合キーは、NFC、Bluetooth、Wi-Fi、X-bee、光通信などの無線通信を使用して送信され、キー照合のステップはパターンの形式の少なくともストロボライトを提供することを含む。
【０００９】
少なくとも一つの実施例では、キーはバーコードの形態であり、キー照合のステップはバーコードまたはＱＲコードの読み取を含む。
【００１０】
少なくとも一つの実施例では、キーは、タッチスクリーン、キーボード、マウス、トラックパッドなどの入力デバイスを使用してディスプレイ上で入力され、キー照合のステップは入力デバイスの読み取を含む。
【００１１】
少なくとも一つの実施例では、キー照合のステップはユーザーが小包を受け取る権限があるかを判定する認証として使用される。
【００１２】
少なくとも一つの実施例では、プロセスはさらにユーザーの機器の位置を判定するステップを含む。
【００１３】
少なくとも一つの実施例では、プロセスは、ユーザーの機器の位置を決定するステップを含む。当該ステップは、少なくとも以下の一つの方法による決定を含む：ユーザーのデバイスの三角測量を介して、携帯電話通信を介して、ＧＰＳ位置を介して、Wi-Fi位置を介して、または、可視光位置を介して。
【００１４】
少なくとも一つの実施例では、ユーザーの機器の位置を決定するステップは、少なくとも以下の２つの方法を含む：携帯通信の三角測量、ＧＰＳロケーション、Wi-Fiロケーション、または、可視光によるロケーション。
【００１５】
少なくとも一つの実施例では、プロセスは少なくとも一つの以下の方法による配達手段の位置の決定のステップを含む：携帯通信の三角測量、ＧＰＳロケーション、Wi-Fiロケーション、または、可視光によるロケーション。
【００１６】
少なくとも一つの実施例では、プロセスは少なくとも2つの以下の方法による配達手段の位置の決定のステップを含む：携帯通信の三角測量、ＧＰＳロケーション、Wi-Fiロケーション、または、可視光によるロケーション。
【図面の簡単な説明】
【００１７】
本発明の他の目的および特徴は、添付図面に関連して考慮される以下の詳細な説明から明らかである。しかしながら、図面は説明のためだけに設計されており、本発明の範囲を限定するものではないことを理解されたい。
【００１８】
図面において、類似の参照符号は、複数の図を通して同様の要素を示す。
【００１９】
【図１】実施中のシステムの全体図である。
【図２】図１のシステムと共に使用されるコンピューター・ネットワークの概略ブロック図である。
【図３】図２に示したコンピューター・ネットワークで使用されるサーバーの概略ブロック図である。
【図４】図２に示したコンピューター・ネットワークで使用される携帯電子機器の概略ブロック図である。
【図５】図１に示したコンピューター・ネットワークおよび図１に示したシステムと共に示されたドローンの概略ブロック図である。
【図６】ユーザーに商品を配達するプロセスを表すフローチャートである。
【図６Ａ】本願発明の別の実施例に係るフローチャートである。
【図６Ｂ】フローチャートの他の例である。
【図６Ｃ】フローチャートの他の例である。
【図６Ｄ】フローチャートの他の例である。
【図７】ユーザーの位置を携帯機器に提供するプロセスである。
【図８】コロケーションのプロセスである。
【図８Ａ】別の配達プロセスのための一連のステップである。
【発明を実施するための形態】
【００２０】
以下に図を使用して詳細を説明する。図１は、実施中のシステムの全体図である。例として、本図では、ＧＰＳ通信システム（２０）、ドローン（３０）、第一のセル・タワー（２５）、第二のセル・タワー、Wi-Fiネットワーク・トランスミッター（３５）、データ・ネットワーク（４０）、そして、ユーザー（５０）によって保持され得る携帯電子機器（１３０）から成るネットワーク、または、システム（１０）が示されている。本システムにより、ユーザー（５０）が商品を購入すると、その商品はドローン（３０）などの配達手段でユーザー（５０）に配達される。この間に、配達手段はデータ・ネットワーク（４０）、セル・タワー・ネットワークの三角測量、または、Wi-Fiネットワークのトランスミッターにより位置を測定する。しかし、位置測定の好ましい方法は衛星によるＧＰＳである。ユーザーに商品を届けるプロセスのより詳細な説明は、図６および図７のフローチャートにおいて示す。
【００２１】
図２に、図６に示したプロセスを完了するために、相互に通信する複数の電子的構成要素の概略ブロック図を示す。例として、複数の電子デバイスと通信するインターネット、あるいは、コンピューター・ネットワーク（１００）が示される。例として、アプリケーションを稼働するアプリケーション・サーバー（１１０）が示される。当該アプリケーションは、ユーザーとドローン（３０）を接続し、共に小包を運搬するよう支援する。さらに、アプリケーション・サーバー（１１０）と通信を行なうデータベース・サーバー（１２０）が示される。当該データベース・サーバー（１２０）には、ユーザーに関するデータ、ドローンに関するデータ、住所に関するデータ、および、図６に示されたプロセスを実行するために必要な他のデータが含まれる。さらに、ＧＰＳ通信システム（２０）がドローン（３０）と通信を行なう。ＧＰＳ通信システム（２０）は、ドローン、および、携帯電話、または、携帯情報機器（１３０、１４０、１５０）を介して少なくとも一人ユーザーの位置を監視できるＧＰＳレシーバー・モジュールの形態であってよい。
【００２２】
図３に、アプリケーション・サーバー（１１０）、または、データベース・サーバー（１２０）などのサーバーの電子的構成要素の概略ブロック図を示す。例として、マイクロプロセッサー（１１１）、メモリー（１１２）、マス・ストレージ（１１３）、パワー・サプライ（１１４）、入出力ポート（１１５）、そして、トランシーバー（１１６）が示される。これらのすべての電子的構成要素はマザーボード（１１７）を介して電子的に通信可能なように結合される。そして、パワー・サプライ（１１４）が、マザーボード（１１７）を介してマイクロプロセッサー（１１１）、メモリー（１１２）、マス・ストレージ（１１３）、入出力ポート（１１５）、および、トランシーバー（１１６）に電力を供給する。さらに、マイクロプロセッサー（１１１）は、メモリー（１１２）からデータまたは情報を提供されるように構成されるか、または、トランシーバー（１１６）からデータを提供されるように構成される。マイクロプロセッサー（１１１）は、ユーザーがキーボードからタイプするなどの方法により、入出力ポート（１１５）からデータを提供されてもよい。マイクロプロセッサー（１１１）が一連の命令を受信するとプロセッサー（１１１）が図６に示したプロセスを開始する。
【００２３】
図４に携帯電話（１３０）などの携帯情報機器の概略ブロック図を示す。本図は、マイクロプロセッサー（１３１）、メモリー（１３２）、マス・ストレージ（１３２）、パワー・サプライ（１３４）、入出力ポート（１３５）、トランシーバー（１３６）を示す。ここで、トランシーバーは、Wi-Fiトランシーバー、ＧＰＳサーキット（１３７）、ビデオ・サーキット（１３８）、または、セルラー・トランシーバー（１３９）であってよい。これらのすべての構成要素はマザーボード（１４１）に結合されており、構成要素はマザーボード（１４１）を介してパワー・サプライ（１３４）から電力を供給される。メモリー（１３２）は、短期またはＲＡＭタイプのメモリーとして構成されている。マス・ストレージ・デバイス（１３３３）はROMタイプのメモリーを保存するためのハードドライブである。加えて、Bluetoothトランシーバー（１３６ａ）が備えられていてもよい。Bluetoothトランシーバーは、ドローン上、他の携帯情報機器上、または、他のコンピューター上のBluetoothトランシーバーと無線でやり取りできる構成されていてよい。
【００２４】
さらに、ビデオ・サーキット（１３８）がビデオ・スクリーン（１４２）と通信し、マザーボードから提供された情報をビデオ・スクリーン（１４２）に表示するよう受け渡してもよい。さらに、マイクロプロセッサー（１３１）メモリー（１３２）から、プログラムまたは一連の命令群と対応付けられた命令を受信してもよい。たとえば、マイクロプロセッサー（１３１）はストロボライトまたはパターン化された光信号などのコード化された短距離信号を開始するようマイクロプロセッサー（１３１）に命令する命令群を受信してよい。
【００２５】
図５は、レイアウト（２３０）に示したドローン（３０）などのドローンの構造を示す概略ブロック図である。例として、マイクロプロセッサー（２３１）、メモリー（２３２）、マス・ストレージ・デバイス（２３３）、パワー・サプライ（２３４）、入出力ポート（２３５）、トランシーバー（２３６）、および、ＧＰＳ回路（２３７）が図示されている。これらのすべての構成要素はマザーボード（２４１）に結合されている。さらに、ライト（２３８）とカメラ（２３９）がマザーボード（２４１）に結合されている。カメラ（２３９）は、携帯電話または携帯情報機器（１３０）などからのストロボや信号を読み取るよう構成されている。カメラ（２３９）によって記録された信号はメモリー（２３２）を介してマイクロプロセッサー（２３１）に提供され、信号が解読され、その特定の信号を発信する携帯機器を持つユーザーの識別のために使用される。さらに、ライト（２３８）は、通信のために携帯機器に向けて信号を発信するよう構成される。加えて、ドローンは、ドローンとユーザーの距離を測定するための距離測定センサー（２４２）を備えていてよい。
【００２６】
さらに、センサーを通じて、ドローンは定常的に地表との距離を測定する。ドローンのＧＰＳにより得られた地表との距離が、別の測定システムから得られた地表との距離よりもはるかに大きい場合には、ドローンは高度をセンサー（２４２）などの別の測定システムから得られた高度に修正し、飛行監督者に警告を送信する。または、一時的に、セル・タワーの三角測量により位置を測定するモードに入ってもよい。または、手動運転モードに切り替わり、飛行を監督する遠隔地の運転者が操縦するようにしてもよい。
【００２７】
制御センターとの接続、または、携帯電話網との接続が切断された場合、または、傾向信号がドローンに送信された場合には、ドローンは脱出行動を取ることができ、急速に上昇し、プログラム化された方法で現在地点から急速に離れる。接続が再確立した後に、ＧＰＳによる高度と測定センサーによる高度が同等である場合には、ドローンは通常運用モードに戻り、制御センターのオペレーターはドローンの次の行動を決定できる。
【００２８】
図６に、ドローン、データ・ネットワーク、および、携帯電子機器間の通信プロセスを示す。ドローンはドローン（３０）であってよい。データ・ネットワークはデータ・ネットワーク（４０）と呼び、少なくともアプリケーション・サーバー（１１０）とデータベース・サーバー（１２０）とから構成される。携帯電子機器は、携帯電話、または、携帯情報機器（１３０）の形態であってよい。例として、システムはユーザーがサーバーにログインすることで開始する（Ｓ２０１）。ユーザーがログインすると、アプリケーション・サーバー（１１０）などのサーバーにより識別される。次に、ユーザーは商品を検索する（Ｓ２０２）。商品は購買、および、配達の対象となる任意の商品であってよい。次に、ユーザーは商品を購入して、支払いを行なってよい（Ｓ２０３）。次に、ユーザーは商品の配達のための場所を提供してよい（Ｓ２０４）。
【００２９】
次に、システムはプライベートの認証キーを生成してよい（２０４ａ）。このプライベートの認証キーは、十六進数、若しくは、電子的またはデジタルのコードであってよい。次に、キーはメモリー（２３２）などのドローンのメモリーに保存されてよい。次に、キーはスマートフォン・アプリケーションに送信されて、スマートフォンにダウンロードされてよい（２０４ｃ）。
【００３０】
次に、システムは将来の配達に備えてドローンに商品を載せてよい（Ｓ２０５）。次に、システムはユーザーに配達の時刻、日付、および、場所を通知してよい（Ｓ２０６）。この通知は、電子メール、テキストメッセージ、電話発信、または、他のタイプの自動化メッセージング・システムによって行なってよい。次に、システムはドローンの飛行を開始し（Ｓ２０７）、ドローンが配達地点に移動して商品を配達できるようにする（Ｓ２０７ａ）。ドローンが飛行中に（Ｓ２０７ｂ）に、ドローンは距離センサー（２４２）を使用して他の物体との距離を測定してもよい。ドローンの高度が所定より低い場合、または、他の物体に近づいた場合には、ドローンを制御するユーザーはドローンの位置と飛行経路を修正することができる。
【００３１】
ドローンが目的地に至る前、至る途中、または、至った後に、ユーザーまたはシステムはユーザーの携帯機器のアプリケーションを開いてよい（Ｓ２０８）。次に、システムはユーザーに商品がドローンによって配達中であることを示すメッセージを送信してよい（Ｓ２０９）。次に、ユーザーは自分の携帯機器を提示する（Ｓ２１０）。次に、配達地点がシステムにより決定される（２１０ａ）。この決定プロセスは図７および図８に詳細に示されている。
【００３２】
さらに、キーが、可視光または不可視光の通信方法によりユーザーのスマートフォンのフラッシュライトを介してドローンのカメラに伝えられてもよい（２１１）。この信号は保存されているキーと比較される。この短距離または短期間の信号（Ｓ２１１ａ）は任意のタイプの信号であってよいが、少なくとも一つの実施例では光の形態である。光は、ユーザーを識別するため、および、着陸地点、または、少なくともユーザーの携帯電子機器の場著を識別するために十分であるパターンのストロボライトの形態であってよい。上述のとおり、このパターンはユーザーのスマートフォンのフラッシュライトまたはディスプレイを使用して生成される。次に、ドローンはスマートフォンからドローンのカメラまたは光センサーに送信された信号を比較する（２１１ｂ）。
【００３３】
信号が合致した場合、ドローンは接続する（２１１ｃ）。しかし、ドローンが信号を受信しない場合、または、キーが合致しない場合には、ドローンはしばらくの間ホバリング状態で位置を維持し、Wi-Fi、Bluetooth、または、同様の無線通信、若しくは、光通信による接続を待つ（２１１ｃ）。
【００３４】
代替の方法として、ドローンは携帯通信機器で読み取るために信号を送り返してもよい（２１１ｄ）。スマートフォンなどの携帯通信機器がこの信号を受信し、確認すると、ドローン商品を配達することを命じる信号を送信する（２１１ｅ）。次に、バッテリーが消耗し始めた時には、ドローンは基地に戻る（２１１ｆ）。
【００３５】
少なくとも一つの実施例では、着陸地点は、光発信器を上面に向け、識別キーを送信するスマートフォンを地面に置くことにより決定される。この方法により、ユーザーはドローンの着陸に安全な地点を指定する。ドローンはスマートフォンを傷つけることなく安全に着陸する。
【００３６】
代替の方法として、ドローンとスマートフォンが接続されており、受信したキーと保存されたキーが同一の場合には、ドローンは商品と共に着陸する（２１２）。
【００３７】
次に、着陸により、ドローンは商品を配達できる（Ｓ２１３）。商品が配達されるとドローンは基地に戻る（Ｓ２１４）。
【００３８】
今までのプロセスの記載ではドローン（３０）を配達手段としてきた。記載においてドローン（３０）と書かれた部分は、無人飛行体または自動運転車を意味する「配達手段」という用語と置き換えてもよい。
【００３９】
短距離信号と記載された部分は、すべてデータ・ネットワーク（４０）に置き換えてもよい。
【００４０】
図８A、および、ステップ８０１における住所という記載は「配達地点」を意味してよい。
【００４１】
図６Ａに一つの実施例に係るプロセスを示す。例示として、ユーザー（５０）（受取手）がなんらかの商品を注文する（Ａ１０１）。後に、商品が小包として配達手段に積載され、認証が成功した後（Ａ１０７）に、ユーザー（５０）の元に運ばれ、配達される（Ａ１０９）。小包は、注文された商品の一部を成す一つ以上の商品を含んでいても、注文された全商品を含んでいてもよい。ユーザー（５０）は、配達先を提供すると共に自身の個人情報を提供する（Ａ１０２）。注文された商品支払いのステップ（Ａ１０８）は、小包の物理的配達の前の任意のステップにおいて行なってよい。注文が確認されると、ユーザー（５０）は配達の日付と時刻を通知される。ユーザー（５０）は、配達条件の確認または更新を行なう。認証キーは配達手段に提供され（Ａ１０４）、ユーザーが注文した商品の小包が配達手段に積載され、配達地点に送られ（Ａ１０３）る。ユーザー（５０）に配達手段のＩＤなどの識別子などの配達に係る詳細情報を通知してもよい。配達手段が配達地点に向かっていることがユーザーに通知される。配達手段が目的地に到着するとユーザー（５０）（受取手）の認証を待つ。ユーザー（５０）はキー照合により認証される（Ａ１０６）。キー照合の認証手続は、図６B、図６C、および、図６Dで記述された３つの方法のいずれかで行なってよい。キー照合によりユーザー（５０）の認証が成功すると（Ａ１０７）、小包が配達される（Ａ１０９）。配達手段が、ドローンである場合には、着陸し、小包をリリースする。自動運転車の場合には、小包は単に鍵のかかった社内に置かれていてもよい。配達手段が自動運転車の場合には、ユーザーの小包が入った特定のコンテナーを解錠する。自動運転車は、複数のユーザー（受取手）向けの小包の複数の独立したボックスを含んでいてもよい。ユーザーの認証が成功した場合には、その認証されたユーザー向けに送られた小包を含むボックスが解錠される。
【００４２】
認証キーは、デジタル情報、文字列、ＱＲコード、バーコード、エンコードされたデジタル情報、または、生体認証データなどの複数のフォーマットで表現されていてよい。キーが生体認証データにより表現されている場合には、キーの転送はユーザーの指紋、顔、虹彩などの生体認証データを読み取ることにより行なわれる（Ａ１０５）。キーが物理的記憶媒体に保存されている場合には、キーの転送は、ＵＳＢキー、メモリーカード、ＣＤ、ＤＶＤ、ブルーレイ、光スキャナー、カメラなどの対応するインターフェースを通じてストレージメディアを読むことにより行なわれる。キー照合プロセス（Ａ１０６）は、図６Ｂに示したように、ユーザーの携帯電子機器（１３０）によって配達手段上のキーを読み取り、情報をリモート・サーバーに送ることによって行なってよい。
【００４３】
（図６Ｂ）配達手段に提供されたキー（Ｂ１０１）は、ユーザーの携帯電子機器（１３０）によって読み取られ（Ｂ１０２）、リモート・サーバーに送られる（Ｂ１０３）。キー照合（Ｂ１０４）は、遠隔地で行なわれ、その結果が配達手段に送信されてもよい。あるいは、キーが遠隔地から配達手段に送信され、そこでキー照合のプロセス（Ｂ１０４）が行なわれてもよい。キー照合が成功する（Ｂ１０５）と、小包はユーザー（５０）に送られる（Ｂ１０５）。
【００４４】
ステップＡ１０６、Ｂ１０４、Ｃ１０４におけるキー照合は、配達手段上、ユーザーの電子機器（１３０）上、または、遠隔地の他の場所で行なわれてよい。キーはそれ自身によって表現されていてもよく、キーが一回以上処理、転送、または、その両方を適用され、処理ズムの情報がキーとして見なされるようにしてもよい。
【００４５】
図６Cは、別のキー照合プロセスを示す。キー情報が配達手段に送信または保存され、（Ｃ１０１）、ユーザーの電子機器（１３０）にも送られる（Ｃ１０２）。そして、これらの２つのキー／情報が送信され（Ｃ１０３）、ユーザーの機器（１０３）上、遠隔地、または、配送手段上のキー照合プロセスで比較される（Ｃ１０４）。キー照合が成功すると（Ｃ１０５）、配達が行なわれる（Ｃ１０６）。
【００４６】
（図６D）キーがユーザーの携帯機器に提供され（Ｄ１０１）、配達手段に転送または提供され（Ｄ１０２）、遠隔地に送信される（Ｄ１０３）。キーは遠隔地（サーバー）から配達手段またはユーザーの携帯機器に戻される（Ｄ１０４）。キー照合（Ｄ１０５）は、遠隔地、配達手段、または、ユーザーの携帯機器で行なわれてよく、キー照合の結果は配達手段に送られる（Ｄ１０５）か、または、キーが配達手段に送信され、そこでキー照合のステップ（Ｄ１０５）が実行されてよい。キー照合が成功すると（Ｄ１０６）、小包はユーザー（５０）に配達される（Ｄ１０７）。
【００４７】
図７に携帯情報機器を持ったユーザーの位置を提供するプロセスを示す。例示として、ユーザーと携帯電話などのデバイスの正確な位置とドローンの位置が測定される。システムは多様なサービスを利用してユーザーの位置を識別できる。たとえば、システムは、三角測量（Ｓ７０２ａ）により、ＧＰＳロケーションにより（Ｓ７０２ｂ）、Wi-Fiロケーションにより（Ｓ７０２ｃ）、または、可視光の位置により（Ｓ７０２ｄ）位置を把握してよい。三角測量による位置測定は複数の携帯電波塔（２５、２７）の信号により行なわれる。三角測量は、ユーザーの機器などの機器の位置を把握するために少なくとも３つのセルラー・タワーにより行なわれる。ユーザーの機器（１３０）はGPRS、CDMA、LTEチップを備えていてよく、このチップを介してシステムに位置を提供する。逆に、ドローン（３０）が携帯電話を備え、この三角測量の信号を提供してもよい。このデバイスの位置は衛星通信を含むＧＰＳ通信システム（２０）を介したＧＰＳ信号によって測定してもよい。代替の方法として、この追跡はWi-Fi ネットワークを通じて行なってもよい。ここで、ユーザーは近隣のWi-Fi ネットワークにより携帯機器（１３０）の場所をピンポイントで指定できる。デバイスがドローンである場合には、ユーザーはドローンにWi-Fiネットワークのアクセスを許してよい。代替の方法として、可視光をドローン（３０）またはユーザーの携帯機器（１３０）から投射し、一方が他方の位置を把握できるようにすると共にユーザーの認証を行なうようにしてもよい。
【００４８】
図８に、より逐次的なコロケーションのプロセスを示す。ユーザーのデバイスは三角測量により位置を測定され（Ｓ７０２ａ）、次に、ＧＰＳによって位置を測定され（Ｓ７０２ｂ）、次に、Wi-Fiによって位置を測定され（Ｓ７０２ｃ）、次に、可視光によって位置を測定される（Ｓ７０２ｄ）。少なくとも一つの実施例では、デバイスの接続または認証は、ドローンとユーザーの携帯機器のハンドシェイク・キー方式により、Wi-FiからWi-Fiの接続によって行なわれる。次に、システムは上記の逐次的ステップと同様にしてドローンの位置を測定してよい。最後に、両デバイスの位置が測定されると、ユーザーは商品を配達させるための地域の制御権を獲得する（Ｓ７０６）。たとえば、ユーザーは、地図上で示す、または、携帯機器（１３０）を地面に置くことにより示した特定のピンポイント地点にドローンが商品を落とせるよう、携帯機器（１３０）を通じてガイドとなる地点を提供してよい。ドローンは電子機器と位置測定のためのハンドシェイク通信を確立しているため、ドローンは機器の位置を迅速に把握し、携帯電子機器上に着陸できる。
【００４９】
図８Aに、ユーザーをドローンと接続する代替の方法を示す。たとえば、ユーザーが注文を行なう時に配達先住所を提供し（８０１）、最終的には注文中にブラウザーの地図上の正確なＧＰＳを指定する（８０２）。ＧＰＳ座標が提示されない場合には、配達先住所に対応する大まかなＧＰＳ座標が地図またはデータベースから取得される（８０３）。次に、ユーザーは正確な場所の提供を求められる。これは、ユーザーが着陸地点に立った時にスマートフォンのアプリによって行なわれてよい。ユーザーは正確な場所を確認し、とＧＰＳ座標がサーバーに送られる（８０４）。ユーザーが配達地点にいられない場合には、スマートフォンのアプリまたはウェブブラウザー上の地図で着陸地点を指定してもよい（８０５（省略可））。次に、ユーザーは商品を購入する（８０６）。ドローンは商品を配達するために送られる（８０７）。ドローンが配達途中にも、同様に、ユーザーはスマートフォンで開いたアプリケーション（８０８）で着陸地点を更新できる。次に、商品はユーザーに配達される（８０９）。このステップは、位置の指定およびユーザーの認証のための図８に示した任意のステップを含んでいてよい。
【００５０】
今までの説明で、商品を制御された形でユーザーに正確に配達する制御のシステムとプロセスが示された。
【００５１】
したがって、本発明の少なくとも一つの実施例が図示され説明されたが、本願発明の多くの修正および変更を、この発明の範囲と精神とから外れることなく実施できることは明白である。
【図１】
2018525756.tif 000003
【図２】
2018525756.tif 000004
【図３】
2018525756.tif 000005
【図４】
2018525756.tif 000006
【図５】
2018525756.tif 000007
【図６】
2018525756.tif 000008
【図６Ａ】
2018525756.tif 000009
【図６Ｂ】
2018525756.tif 000010
【図６Ｃ】
2018525756.tif 000011
【図６Ｄ】
2018525756.tif 000012
【図７】
2018525756.tif 000013
【図８】
2018525756.tif 000014
2018525756.tif 000015
【図８Ａ】
2018525756.tif 000016
【国際調査報告】
2018525756.tif 000017
2018525756.tif 000018
2018525756.tif 000019